(57)【要約】【課題】コストを低減することができる現金管理装置の提供。【解決手段】現金管理装置本体に引き出し可能に設けられる収納庫が、枠体と、棒金Ｂを収納可能であって枠体に設けられる複数の棒金トレイ３８と、を備え、棒金トレイ３８は、棒金Ｂを立位状態で複数本収納可能であって下方に凹む上方開口形状の棒金収納凹部４１が設けられており、棒金収納凹部４１の底部４４には、満杯状態にある棒金Ｂの下端加締部のそれぞれの内側に嵌合する定位置座部１１１が形成されており、定位置座部１１１は複数の分割部１１２に分割され、隣り合う定位置座部１１１は、互いに近接する分割部１１２が１本の棒金Ｂの下端加締部の内側に同時に嵌合可能である。【選択図】図７
2016091154.tif 000002
【特許請求の範囲】
【請求項１】
現金管理装置本体と、
該現金管理装置本体に引き出し可能に設けられる収納庫と、を有する現金管理装置であって、
前記収納庫は、
枠体と、
棒金を収納可能であって前記枠体に設けられる複数の棒金トレイと、を備え、
前記棒金トレイは、
棒金を立位状態で１カ所に複数本収納可能であって下方に凹む上方開口形状の棒金収納凹部を有し、
前記棒金収納凹部の底部には、満杯状態にある棒金の下端加締部のそれぞれの内側に嵌合する定位置座部が形成されており、
前記定位置座部は複数の分割部に分割され、
隣り合う前記定位置座部は、互いに近接する前記分割部が１本の棒金の下端加締部の内側に同時に嵌合可能であることを特徴とする現金管理装置。
【請求項２】
前記定位置座部には、嵌合された棒金を検出する棒金検出センサが一方の前記分割部のみに設けられており、隣り合う前記定位置座部は、互いに近接する前記分割部の一方のみに前記棒金検出センサが設けられていることを特徴とする請求項１記載の現金管理装置。
【請求項３】
一つの前記棒金トレイに、
棒金を５本収納可能な前記棒金収納凹部が２カ所設けられており、
これらの棒金収納凹部は、それぞれが、棒金を２本並べて収納する２本収納空間と、該２本収納空間と平行であって棒金を１列に並べて３本収納する３本収納空間と、を有し、
前記２本収納空間の２カ所の前記定位置座部は、前記２本収納空間の棒金配列方向に前記分割部が並んでいて異なる３位置の棒金の下端加締部の内側に嵌合可能であり、
前記３本収納空間の３カ所の前記定位置座部は、前記３本収納空間の棒金配列方向に前記分割部が並んでいて異なる５位置の棒金の下端加締部の内側に嵌合可能であることを特徴とする請求項１または２記載の現金管理装置。
【請求項４】
一つの前記棒金トレイの２カ所の前記２本収納空間および２カ所の前記３本収納空間が前記収納庫の引き出し方向とは異なる同方向に傾斜していることを特徴とする請求項３記載の現金管理装置。
【請求項５】
一つの前記棒金トレイの２カ所の前記棒金収納凹部は、相互近接側に前記３本収納空間を平行に配置していることを特徴とする請求項３または４記載の現金管理装置。
【請求項６】
前記棒金収納凹部は、
前記２本収納空間の延在方向の両外側に該２本収納空間内に中心を有する湾曲壁面を有し、
前記３本収納空間の延在方向の両外側に該３本収納空間内に中心を有する湾曲壁面を有し、
前記２本収納空間および前記３本収納空間の配列方向の両外側に平坦壁面を有することを特徴とする請求項３乃至５のいずれか一項記載の現金管理装置。
【請求項７】
前記棒金収納凹部の周囲には、
該棒金収納凹部内の満杯状態にない１本または複数本の棒金を立位状態に維持するように輪ゴムを係止可能な複数の係止部が設けられていることを特徴とする請求項１乃至６のいずれか一項記載の現金管理装置。
【発明の詳細な説明】
【技術分野】
【０００１】
本発明は、現金の管理に用いられる現金管理装置に関する。
【背景技術】
【０００２】
現金管理装置本体から引き出し可能に設けられた複数の収納庫に現金を収納し、現金の入出庫を行う現金管理装置がある（例えば特許文献１参照）。この現金管理装置には、複数の収納庫の中に棒金用の収納庫が設けられている。棒金用の収納庫では、満杯で棒金を１０本収納できる棒金トレイと、満杯にできない１０本未満の端数の棒金を収納できる棒金トレイとが金種別に用意されている。端数収納用の棒金トレイは、棒金の転倒防止用の補助棒を有しており、この点で、満杯収納用の棒金トレイとは異なっている。
【先行技術文献】
【特許文献】
【０００３】
【特許文献１】特開２０１３−１１８０１６号公報
【発明の概要】
【発明が解決しようとする課題】
【０００４】
上記の現金管理装置において、端数収納用の棒金トレイは、棒金を収納する位置が予め決められているため、使い勝手性の点で改善の余地があった。
【０００５】
本発明は、上記の点に鑑みなされたもので、使い勝手性を向上させることができる現金管理装置の提供を目的とする。
【課題を解決するための手段】
【０００６】
上記目的を達成するために、請求項１に係る発明は、現金管理装置本体と、該現金管理装置本体に引き出し可能に設けられる収納庫と、を有する現金管理装置であって、前記収納庫は、枠体と、棒金を収納可能であって前記枠体に設けられる複数の棒金トレイと、を備え、前記棒金トレイは、棒金を立位状態で１カ所に複数本収納可能であって下方に凹む上方開口形状の棒金収納凹部を有し、前記棒金収納凹部の底部には、満杯状態にある棒金の下端加締部のそれぞれの内側に嵌合する定位置座部が形成されており、前記定位置座部は複数の分割部に分割され、隣り合う前記定位置座部は、互いに近接する前記分割部が１本の棒金の下端加締部の内側に同時に嵌合可能であることを特徴とする。
【０００７】
請求項２に係る発明は、請求項１に係る発明において、前記定位置座部には、嵌合された棒金を検出する棒金検出センサが一方の前記分割部のみに設けられており、隣り合う前記定位置座部は、互いに近接する前記分割部の一方のみに前記棒金検出センサが設けられていることを特徴とする。
【０００８】
請求項３に係る発明は、請求項１または２に係る発明において、一つの前記棒金トレイに、棒金を５本収納可能な前記棒金収納凹部が２カ所設けられており、これらの棒金収納凹部は、それぞれが、棒金を２本並べて収納する２本収納空間と、該２本収納空間と平行であって棒金を１列に並べて３本収納する３本収納空間と、を有し、前記２本収納空間の２カ所の前記定位置座部は、前記２本収納空間の棒金配列方向に前記分割部が並んでいて異なる３位置の棒金の下端加締部の内側に嵌合可能であり、前記３本収納空間の３カ所の前記定位置座部は、前記３本収納空間の棒金配列方向に前記分割部が並んでいて異なる５位置の棒金の下端加締部の内側に嵌合可能であることを特徴とする。
【０００９】
請求項４に係る発明は、請求項３に係る発明において、一つの前記棒金トレイの２カ所の前記２本収納空間および２カ所の前記３本収納空間が前記収納庫の引き出し方向とは異なる同方向に傾斜していることを特徴とする。
【００１０】
請求項５に係る発明は、請求項３または４に係る発明において、一つの前記棒金トレイの２カ所の前記棒金収納凹部は、相互近接側に前記３本収納空間を平行に配置していることを特徴とする。
【００１１】
請求項６に係る発明は、請求項３乃至５のいずれか一項に係る発明において、前記棒金収納凹部は、前記２本収納空間の延在方向の両外側に該２本収納空間内に中心を有する湾曲壁面を有し、前記３本収納空間の延在方向の両外側に該３本収納空間内に中心を有する湾曲壁面を有し、前記２本収納空間および前記３本収納空間の配列方向の両外側に平坦壁面を有することを特徴とする。
【００１２】
請求項７に係る発明は、請求項１乃至６のいずれか一項に係る発明において、前記棒金収納凹部の周囲には、該棒金収納凹部内の満杯状態にない１本または複数本の棒金を立位状態に維持するように輪ゴムを係止可能な複数の係止部が設けられていることを特徴とする。
【発明の効果】
【００１３】
請求項１に係る発明によれば、棒金収納凹部の底部には、満杯状態にある棒金の下端加締部のそれぞれの内側に嵌合する定位置座部が形成されているが、隣り合う定位置座部は、互いに近接する分割部が１本の棒金の下端加締部の内側に同時に嵌合可能である。このため、定位置座部のそのものに棒金の下端加締部を嵌合させたり、隣り合う定位置座部の近接する分割部に棒金の下端加締部を嵌合させたりすることができる。よって、端数収納用の棒金トレイとして使用した場合に、棒金の収納位置の自由度が高まることになり、使い勝手性を向上させることができる。
【００１４】
請求項２に係る発明によれば、定位置座部には、嵌合された棒金を検出する棒金検出センサが一方の分割部のみに設けられており、隣り合う定位置座部は、互いに近接する分割部の一方のみに棒金検出センサが設けられているため、定位置座部のそのものに棒金の下端加締部を嵌合させる場合も、隣り合う定位置座部の近接する分割部に棒金の下端加締部を嵌合させる場合も、棒金検出センサの数を増やすことなく棒金を検出可能となる。したがって、コスト増を抑制できる。
【００１５】
請求項３に係る発明によれば、一つの棒金トレイの２カ所の下方に凹む上方開口形状の棒金収納凹部のそれぞれに満杯つまり５本ずつ棒金を収納すれば、棒金を立位状態で収納することができる。他方、２カ所の棒金収納凹部に満杯に棒金を収納することができない場合であっても、５本であれば棒金を立位状態で収納することができる。また、５本未満あるいは５本を越える棒金については、２本収納空間の底部に設けられた２カ所の定位置座部のそのものに棒金の下端加締部を嵌合させたり、これらのうちの隣り合う定位置座部の近接する分割部に棒金の下端加締部を嵌合させたり、３本収納空間の底部に設けられた３カ所の定位置座部のそのものに棒金の下端加締部を嵌合させたり、これらのうちの隣り合う定位置座部の近接する分割部に棒金の下端加締部を嵌合させたりしても、２本収納空間と３本収納空間とが平行していることから、棒金は棒金収納凹部の壁面に近接することになる。よって、棒金は下端部が、定位置座部のそのもの、あるいは隣り合う定位置座部の近接する分割部に係合されていることと、棒金収納凹部の壁面に当接することとで、倒れが抑制される。したがって、棒金収納凹部内の満杯状態にない１本〜４本の棒金を立位状態に維持することが可能となる。よって、同じ棒金トレイを満杯収納用と端数収納用とで共用化しても、満杯の棒金および端数の棒金のいずれも立位状態で収納することが可能になる。したがって、同じ棒金トレイを満杯収納用と端数収納用とで共用化できるため、コストを低減することができる。また、同じ棒金トレイを満杯収納用と端数収納用とで共用化した場合には、複数の棒金トレイの中から任意で満杯収納用と端数収納用とを設定することができる。したがって、使い勝手性が向上する。加えて、棒金収納凹部が５本単位で棒金を収納するため、取り出し時や挿入時の本数管理が容易となり、使い勝手性が向上する。加えて、２本収納空間の２カ所の定位置座部は、異なる３位置の棒金の下端加締部の内側に嵌合可能であり、３本収納空間の３カ所の定位置座部は、異なる５位置の棒金の下端加締部の内側に嵌合可能であるため、端数収納用の棒金トレイとして使用した場合に、棒金の収納位置の自由度がより高まることになり、使い勝手性をより向上させることができる。
【００１６】
請求項４に係る発明によれば、一つの棒金トレイの２カ所の２本収納空間および２カ所の３本収納空間が収納庫の引き出し方向とは異なる同方向に傾斜しているため、棒金は収納庫の引き出し方向および引き出し方向に直交する方向の両方向の倒れが棒金収納凹部の壁面で抑制されることになる。したがって、棒金収納凹部内の満杯状態にない１本〜４本の棒金を立位状態に維持することがより可能になる。
【００１７】
請求項５に係る発明によれば、一つの棒金トレイの２カ所の棒金収納凹部は、相互近接側に３本収納空間を平行に配置しているため、棒金をコンパクトにまとめて収納することができる。
【００１８】
請求項６に係る発明によれば、棒金収納凹部が、２本収納空間および３本収納空間のそれぞれの延在方向の両外側に湾曲壁面を有し、２本収納空間および３本収納空間の配列方向の両外側に平坦壁面を有する形状をなしているため、１本から４本までの端数を湾曲壁面に近接して配置することができる。したがって、棒金収納凹部内の満杯状態にない１本〜４本の棒金を立位状態に維持することがより可能になる。
【００１９】
請求項７に係る発明によれば、棒金収納凹部の周囲に設けられた複数の係止部に輪ゴムを係止すれば、この輪ゴムで棒金収納凹部内の満杯状態にない１本または複数本の棒金を立位状態に維持することが確実にできる。
【図面の簡単な説明】
【００２０】
【図１】本発明の一実施形態に係る現金管理装置を示す斜視図である。
【図２】本発明の一実施形態に係る現金管理装置を示す要部の制御系ブロック図である。
【図３】本発明の一実施形態に係る現金管理装置の棒金収納庫を示す斜視図である。
【図４】本発明の一実施形態に係る現金管理装置の棒金トレイを示す斜視図である。
【図５】本発明の一実施形態に係る現金管理装置の棒金トレイを示すもので、（ａ）は平面図、（ｂ）は（ａ）のＸ−Ｘ断面図である。
【図６】本発明の一実施形態に係る現金管理装置の棒金トレイを示す平面図である。
【図７】本発明の一実施形態に係る現金管理装置の棒金トレイを示すもので、（ａ）は平面図、（ｂ）は（ａ）のＹ−Ｙ断面図である。
【発明を実施するための形態】
【００２１】
本発明の一実施形態に係る現金管理装置を図面を参照して以下に説明する。
【００２２】
図１に示す本実施形態に係る現金管理装置１０は、金融機関の店舗の係員側スペースに設置されて係員により取り扱われるものであり、より窓口カウンタに近い位置で使用され、主に小束紙幣および棒金を入出庫可能に収納するものである。
【００２３】
現金管理装置１０は、箱型の現金管理装置本体１１と、この現金管理装置本体１１に上下方向に複数段具体的には８段設けられた収納庫１２とを有している。これら収納庫１２は、その左右側壁に設けられたスライドレール１３を介して現金管理装置本体１１に対して水平方向に沿って引き出し可能となっている。これら収納庫１２は、前方に引き出されることで内部にアクセス可能となるように開かれ、後方に押し込まれると内部にアクセス不可となるように閉じられる。このように前後方向にのみ所定範囲でスライド可能となるように、各収納庫１２は現金管理装置本体１１に連結されている。
【００２４】
複数段の収納庫１２のうち、最も上側のものは、予備収納庫１２（Ａ）となっており、結束されていないバラ紙幣、包装されていないバラ硬貨、汚損紙幣や汚損硬貨、金券等を収納する。また、残りの収納庫１２は、上側４段が小束紙幣を収納する小束収納庫１２（Ｂ）となっており、下側３段が棒金を収納する棒金収納庫１２（Ｃ）となっている。勿論、収納庫１２の全体の数や、そのうちの小束収納庫１２（Ｂ）および棒金収納庫１２（Ｃ）の個々の数等は任意に設定可能であり、例えば、予備収納庫１２（Ａ）以外の全てを、棒金収納庫１２（Ｃ）とすることも勿論可能である。
【００２５】
現金管理装置本体１１の上部には、操作者によって操作入力がなされるとともに操作者に対して表示を行う操作表示部１５と、データを印字により出力するプリンタ１６とが設けられている。操作表示部１５は、操作者に対して操作ガイダンス等の情報を表示する表示部１７と、操作者のＩＤカードを走査するカードリーダ１８と、操作者により操作される操作キーボード１９と、操作者に対して音声を出力する音声発生部２０とを有している。
【００２６】
現金管理装置本体１１には、複数の収納庫１２のそれぞれに対して、収納庫１２を閉状態で個別にロックする図２に示すロック機構２２が設けられており、図１に示す複数の収納庫１２のそれぞれの側方に、ロック機構２２のロック解除時のみ点灯する表示灯２３が設けられている。さらに、現金管理装置本体１１には、図２に示すように、操作表示部１５、プリンタ１６、音声発生部２０、ロック機構２２および表示灯２３等に接続されてこれらを制御する制御部２５と、収納している棒金および小束紙幣の数量情報および金種情報や処理関連のデータ等を記憶する記憶部２６とが設けられている。
【００２７】
収納庫１２は、図３に示すように、取っ手３０が中央に設けられた前板部３１と、前板部３１の左右両側から後方に延出する一対の側板部３２と、一対の側板部３２の後端部同士を連結する後板部３３とを有する枠体３４を有している。この枠体３４は、図１に示す小束収納庫１２（Ｂ）と棒金収納庫１２（Ｃ）とで共通となっている。枠体３４は、一対の側板部３２がスライドレール１３の一側に連結されており、スライドレール１３の他側が現金管理装置本体１１に連結されていて、これにより現金管理装置本体１１に対して引き出し可能となっている。
【００２８】
図３に示すように、棒金収納庫１２（Ｃ）は、棒金Ｂを入出庫可能に収納するものである。棒金収納庫１２（Ｃ）は、棒金Ｂを収納可能であって上記した枠体３４に取り付けられて固定される複数、具体的には、前後に金種径に応じて６つまたは５つ、左右に４列の合成樹脂製の図４にも示す棒金トレイ３８を有している。
【００２９】
ここで、各棒金トレイ３８は、それぞれ予め設定された単一の収納対象金種の棒金Ｂのみが収納されるように決められている。また、左右方向における同列に配置されて前後に１列に並ぶ複数の棒金トレイ３８は、全て収納対象金種が同一金種となっている。例えば、３段の棒金収納庫１２（Ｃ）のうちの最も上段の棒金収納庫１２（Ｃ）は、最も左側および左から２番目の２列の棒金トレイ３８が共に１円棒金収納用、最も右側および右から２番目の２列の棒金トレイ３８が共に５円棒金収納用となっている。また、３段の棒金収納庫１２（Ｃ）のうちの上から２段目の棒金収納庫１２（Ｃ）は、最も左側および左から２番目の２列の棒金トレイ３８が共に１０円棒金収納用、最も右側および右から２番目の２列の棒金トレイ３８が共に５０円棒金収納用となっている。また、３段の棒金収納庫１２（Ｃ）のうちの最下段の棒金収納庫１２（Ｃ）は、最も左側および左から２番目の２列の棒金トレイ３８が共に１００円棒金収納用、最も右側および右から２番目の２列の棒金トレイ３８が共に５００円棒金収納用となっている。勿論、各棒金収納庫１２（Ｃ）への収納金種は任意に設定可能であり、頻繁に出庫が行われる金種（１円棒金、１０円棒金および１００円棒金）を一つの棒金収納庫１２（Ｃ）に纏めて収納するようにしても良い。また、左右方向における同列に配置されて前後に１列に並ぶ複数の棒金トレイ３８は、必ずしも全て収納対象金種が同一金種となっていなくても良い。
【００３０】
棒金Ｂは、単一金種の硬貨を所定枚数（５０枚）だけ中心軸線を一致させて集積してなる集積硬貨を、その外周面全体に樹脂フィルムあるいは紙からなる包装紙を所定長さ巻き付けて一体化したものであり、略円柱状をなしている。
【００３１】
図３に示すように、棒金トレイ３８には、棒金Ｂが中心軸線を上下方向に沿わせた立位状態で収納される。図４に示すように、棒金トレイ３８は、長方形の平板状なして水平に配置される基板部４０と、基板部４０の水平方向における内側部分に設けられて下方に凹む上方開口形状をなす２カ所の同形状の棒金収納凹部４１とを有している。棒金トレイ３８は、これらの棒金収納凹部４１にその上端開口部を介して上方から棒金Ｂが挿入されることになり、これらの棒金収納凹部４１は、このように挿入された棒金Ｂを図３に示すように上方に一部突出させて収納する。つまり、一つの棒金トレイ３８に、同形状の棒金収納凹部４１が２カ所設けられており、これら一対の棒金収納凹部４１は、基板部４０の中間部に前後に隣接して形成されている。
【００３２】
図４に示すように、前側（図４では左下側）の棒金収納凹部４１は、鉛直方向に沿う壁部４３と、壁部４３の下部を閉塞する全体として水平方向に沿う底部４４とを有している。壁部４３は、基板部４０よりも下方向に延出しており、よって、底部４４は基板部４０よりも下方に位置している。図５（ａ）に示すように、前側（図５（ａ）では下側）の棒金収納凹部４１の壁部４３は、左側に、円筒を一部切り取った形状の２カ所の湾曲壁面４２ａが左右方向の位置を合わせて前後に連設されており、右側に、円筒を一部切り取った形状の２カ所の湾曲壁面４２ａが前側のものが後側のものよりも左側に位置するように連設されている。これら湾曲壁面４２ａのうち、前側の左右の湾曲壁面４２ａは右側のものが左側のものよりも前側に位置しており、後側の左右の湾曲壁面４２ａも右側のものが左側のものよりも前側に位置している。これにより、前側の棒金収納凹部４１は、左側２カ所の湾曲壁面４２ａのうちの前側の一方と右側２カ所の湾曲壁面４２ａのうちの前側の一方とが対向しこれらの間隔が、後側で対向する他方同士の間隔よりも狭くなっている。
【００３３】
前側の棒金収納凹部４１の壁部４３は、前側の左右の湾曲壁面４２ａを結ぶ長さが短い平坦壁面４２ｂと、後側の左右の湾曲壁面４２ａを結ぶ長さが長い平坦壁面４２ｃとを有している。
【００３４】
図４に示すように、後側の棒金収納凹部４１も、鉛直方向に沿う壁部４３と、壁部４３の下部を閉塞する全体として水平方向に沿う底部４４とを有している。前後の棒金収納凹部４１は近接配置されており、お互いの壁部４３の一部を共用している。図５（ａ）に示すように、後側の棒金収納凹部４１の壁部４３は、右側に、円筒を一部切り取った形状の２カ所の湾曲壁面４２ａが左右方向の位置を合わせて前後に連設されており、左側に、円筒を一部切り取った形状の２カ所の湾曲壁面４２ａが後側のものが前側のものよりも右側に位置するように連設されている。これら湾曲壁面４２ａのうち、後側の左右の湾曲壁面４２ａは右側のものが左側のものよりも前側に位置しており、前側の左右の湾曲壁面４２ａも右側のものが左側のものよりも前側に位置している。これにより、後側の棒金収納凹部４１は、左側２カ所の湾曲壁面４２ａのうちの後側の一方と右側２カ所の湾曲壁面４２ａのうちの後側の一方とが対向しこれらの間隔が、前側で対向する他方同士の間隔よりも狭くなっている。
【００３５】
後側の棒金収納凹部４１の壁部４３は、後側の左右の湾曲壁面４２ａを結ぶ長さが短い平坦壁面４２ｂと、前側の左右の湾曲壁面４２ａを結ぶ長さが長い平坦壁面４２ｃとを有している。
【００３６】
前後共に、棒金収納凹部４１に設けられた湾曲壁面４２ａは、いずれも湾曲の中心をそれぞれが設けられた棒金収納凹部４１の内側に配置している。前後の棒金収納凹部４１の２カ所の平坦壁面４２ｂおよび２カ所の平坦壁面４２ｃは全て平行をなしている。２カ所の棒金収納凹部４１は、予め設定された単一の収納対象金種の棒金Ｂのみが収納されることになり、湾曲壁面４２ａの径は、収納対象金種の棒金Ｂの外径よりも若干大径となっている。
【００３７】
前後の棒金収納凹部４１は、それぞれ、互いに対向する間隔が狭い側の湾曲壁面４２ａの間に、これらを結ぶ方向に並んで２カ所の１本収納空間４７が設けられており、よって、間隔が狭い側の湾曲壁面４２ａの間は、棒金Ｂを２本並べて収納する２本収納空間１０１となっている。また、互いに対向する間隔が広い側の湾曲壁面４２ａの間には、これらを結ぶ方向に並んで３カ所の１本収納空間４７が設けられており、よって、間隔が広い側の湾曲壁面４２ａの間は、棒金Ｂを３本並べて収納する３本収納空間１０２となっている。前後の棒金収納凹部４１は、それぞれ、棒金Ｂを満杯状態で５本収納する。つまり、一つの棒金トレイ３８には、棒金Ｂを立位状態で１カ所に５本収納可能であって下方に凹む上方開口形状の棒金収納凹部４１が２カ所設けられており、これら２カ所の棒金収納凹部４１に、棒金Ｂが立位状態で所定の複数本である１０本収納可能となっている。
【００３８】
２本収納空間１０１と３本収納空間１０２とは互いに平行をなして隣接している。よって、棒金収納凹部４１は、２本収納空間１０１の延在方向の両外側に２本収納空間１０１内に中心を有する湾曲壁面４２ａを有しており、３本収納空間１０２の延在方向の両外側に３本収納空間１０２内に中心を有する湾曲壁面４２ａを有していて、２本収納空間１０１および３本収納空間１０２の配列方向の両外側に平坦壁面４２ｂ，４２ｃを有している。
【００３９】
２本収納空間１０１に収納された棒金Ｂに対して、３本収納空間１０２に収納された棒金Ｂは棒金Ｂの半径分ずれている。棒金Ｂは、棒金収納凹部４１にも、その上部開口を介して上方から挿入されることになり、棒金収納凹部４１に満杯に収納された状態では、棒金収納凹部４１の壁部４３および他の棒金Ｂで支持されて中心軸線を鉛直配置した鉛直立位状態に維持される。
【００４０】
一つの棒金トレイ３８の２カ所の２本収納空間１０１および２カ所の３本収納空間１０２が前後方向つまり収納庫１２の引き出し方向とは異なる同方向に傾斜している。しかも、一つの棒金トレイ３８の２カ所の棒金収納凹部４１は、相互近接側に３本収納空間１０２を平行に配置しており、相互離間側に２本収納空間１０１を平行に配置している。
【００４１】
ここで、２本収納空間１０１および３本収納空間１０２の傾斜角度は、以下のように設定されている。前側の棒金収納凹部４１の３本収納空間１０２の右側の１本収納空間４７と、後側の棒金収納凹部４１の２本収納空間１０１および３本収納空間１０２のそれぞれの右側の１本収納空間４７との３カ所が、左右方向の位置を合わせて収納庫１２の引き出し方向である前後方向に１列に並べられる。また、前側の棒金収納凹部４１の２本収納空間１０１および３本収納空間１０２のそれぞれの左側の１本収納空間４７と、後側の棒金収納凹部４１の３本収納空間１０１の左側の１本収納空間４７との３カ所が、左右方向の位置を合わせて収納庫１２の引き出し方向である前後方向に１列に並べられる。そして、これらの間に、両方の棒金収納凹部４１の残りの２カ所ずつの１本収納空間４７が、左右方向の位置を合わせて収納庫１２の引き出し方向である前後方向に１列に並べられる。このような配置となるように２本収納空間１０１および３本収納空間１０２の傾斜角度が設定されている。２本収納空間１０１および３本収納空間１０２の傾斜角度はこれに限らず任意に設定可能である。
【００４２】
底部４４の各棒金Ｂの収納位置、つまり各１本収納空間４７の底位置には、棒金Ｂの下端部に係合する定位置座部１１１が設けられている。全ての１本収納空間４７のそれぞれ底位置に定位置座部１１１が設けられている。定位置座部１１１は、各湾曲壁面４２ａの各内側位置に湾曲壁面４２ａと同じ４カ所形成され、さらに、３本収納空間１０２を形成する湾曲壁面４２ａ間の中央の１カ所に形成されている。つまり、定位置座部１１１は、２本収納空間１０１の底部に２カ所、３本収納空間１０２の底部に３カ所、それぞれ設けられている。定位置座部１１１は、一つの棒金トレイ３８の２カ所の棒金収納凹部４１に満杯状態にある棒金Ｂの図７（ｂ）に示す下端加締部ＰＫのそれぞれの内側に嵌合する。
【００４３】
図７に示すように、定位置座部１１１は複数具体的には二つの分割部１１２に分割されている。これらの分割部１１２は、平面視楕円形の短柱状をなしており、互いに長軸を平行させ、長軸方向の位置を合わせている。定位置座部１１１は、これらの分割部１１２が棒金Ｂの下端加締部ＰＫの内側に嵌合する。
【００４４】
ここで、２本収納空間１０１の２カ所の定位置座部１１１は、いずれも２本収納空間１０１における棒金配列方向に分割部１１２が並んでおり、３本収納空間１０２の３カ所の定位置座部１１１は、いずれも３本収納空間１０２における棒金配列方向に分割部１１２が並んでいる。
【００４５】
そして、２本収納空間１０１の隣り合う定位置座部１１１は、互いに近接する分割部１１２が１本の棒金Ｂの下端加締部ＰＫの内側に同時に嵌合可能となっている。よって、２本収納空間１０１の２カ所の定位置座部１１１は、異なる３位置の棒金Ｂの下端加締部ＰＫの内側に嵌合可能となっている。また、３本収納空間１０２の隣り合う定位置座部１１１は、互いに近接する分割部１１２が１本の棒金Ｂの下端加締部ＰＫの内側に同時に嵌合可能となっている。よって、３本収納空間１０２の３カ所の定位置座部１１１は、異なる５位置の棒金Ｂの下端加締部ＰＫの内側に嵌合可能となっている。
【００４６】
定位置座部１１１には、嵌合された棒金Ｂの有無および金種を検出する磁気センサ等の棒金検出センサ１１５がそれぞれの一方の分割部１１２のみに設けられており、しかも、隣り合う定位置座部１１１において、互いに近接する分割部１１２の一方のみに棒金検出センサ１１５が設けられている。具体的に、２本収納空間１０１の４カ所の分割部１１２の一つおきに棒金検出センサ１１５が設けられており、３本収納空間１０１の６カ所の分割部１１２の一つおきに棒金検出センサ１１５が設けられている。
【００４７】
棒金トレイ３８の棒金収納凹部４１の周囲の基板部４０には、無端環状の図５（ａ）に示す輪ゴムＲを掛けるための複数の柱状の係止部５０が立設されている。図５（ｂ）に示すように、これらの係止部５０は、基板部４０から棒金収納凹部４１の上端開口部よりも上方まで延出している。壁部４３の隣り合って連続する湾曲壁面４２ａの中心同士を結ぶ線の水平な垂直二等分線上に係止部５０が設けられており、このような配置の係止部５０が、連続する湾曲壁面４２ａの組数と同じ４カ所に設けられている。これらの係止部５０は、棒金収納凹部４１に満杯に収納された棒金Ｂのうち、連続する湾曲壁面４２ａに近接して隣り合うもの同士を結ぶ線の水平な垂直二等分線上に配置されている。
【００４８】
また、壁部４３の平坦壁面４２ｂの水平な垂直二等分線上に係止部５０が設けられており、このような配置の係止部５０が、平坦壁面４２ｂの数と同じ２カ所に設けられている。これらの係止部５０も、２カ所の棒金収納凹部４１に満杯に収納された棒金Ｂのうち、平坦壁面４２ｂに近接して隣り合うもの同士を結ぶ線の垂直二等分線上に配置されている。
【００４９】
さらに、２カ所の棒金収納凹部４１のいずれも３本収納空間１０１を形成する部分の左右方向の位置が合って前後に隣り合う湾曲壁面４２ａの中心同士を結ぶ線の垂直二等分線上に係止部５０が設けられており、このような配置の係止部５０が、２カ所に設けられている。これらの係止部５０も、２カ所の棒金収納凹部４１に満杯に収納された棒金Ｂのうち、上記湾曲壁面４２ａに近接して隣り合うもの同士を結ぶ線の垂直二等分線上に配置されている。
【００５０】
よって、係止部５０の数は、８カ所となっている。この場合、複数の係止部５０は、棒金収納凹部４１内の満杯状態にない１本または複数本の棒金Ｂを立位状態に維持するように輪ゴムＲを係止可能となっている。
【００５１】
図４に示すように、各係止部５０は、基板部４０から立ち上がる円柱状の柱状部５１と、柱状部５１の上端部から棒金収納凹部４１とは水平反対方向に突出する突起部５２とを有している。係止部５０に形成されたこの突起部５２は、柱状部５１と同心の扇状をなしており、より具体的には半円状をなしている。突起部５２は、図５（ｂ）に示すように全体が棒金収納凹部４１の上端開口部よりも上側に位置するように形成されている。
【００５２】
図５（ａ）および図６に示すように、複数の係止部５０は、棒金収納凹部４１内の満杯状態にない１本または複数本の棒金Ｂを立位状態に維持するように輪ゴムＲを係止可能となっている。例えば、棒金Ｂを１本だけ棒金収納凹部４１に収納する場合には、棒金Ｂの下端加締部ＰＫを任意の定位置座部１１１に嵌合させて、図５（ａ）に示すように、この定位置座部１１１に近い３カ所の係止部５０の柱状部５１に、これらの柱状部５１と棒金Ｂとを内側に配置しつつ輪ゴムＲを掛ける。すると、輪ゴムＲが棒金Ｂの倒れを抑制する。これにより、１本のみの棒金Ｂを一層確実に立位状態に維持することができる。
【００５３】
また、例えば、棒金Ｂを３本だけ棒金収納凹部４１に収納する場合に、図６に示すように、これらの棒金Ｂの下端加締部ＰＫを３カ所の近接する定位置座部１１１に嵌合させて、これら定位置座部１１１に近い４カ所の係止部５０の柱状部５１に、これらの柱状部５１と３本の棒金Ｂとを内側に配置しつつ輪ゴムＲを掛ける。すると、輪ゴムＲが３本の棒金Ｂの倒れを抑制する。これにより、３本のみの棒金Ｂを一層確実に立位状態に維持することができる。図６に示す二点鎖線は、さらに１本の棒金Ｂを追加して収納する場合を示している。適宜の係止部５０を選択して、選択した係止部５０の柱状部５１と棒金Ｂとを内側に配置するように輪ゴムＲを掛けることで、棒金収納凹部４１において１本〜４本の棒金Ｂを、一層確実に立位状態に維持することができる。
【００５４】
現金管理装置１０の全ての棒金収納庫１２（Ｃ）に設けられる全ての棒金トレイ３８は、いずれも係止部５０を有している。つまり、同一金種用となる１円棒金用の全ての棒金トレイ３８が係止部５０を有する共通部品となっており、同一金種用となる５円棒金用の全ての棒金トレイ３８が係止部５０を有する共通部品となっており、同一金種用となる１０円棒金用の全ての棒金トレイ３８が係止部５０を有する共通部品となっており、同一金種用となる５０円棒金用の全ての棒金トレイ３８が係止部５０を有する共通部品となっており、同一金種用となる１００円棒金用の全ての棒金トレイ３８が係止部５０を有する共通部品となっており、同一金種用となる５００円棒金用の全ての棒金トレイ３８が係止部５０を有する共通部品となっている。
【００５５】
なお、棒金トレイ３８から係止部５０を廃止することも可能であり、この場合、現金管理装置１０の全ての棒金収納庫１２（Ｃ）に設けられる全ての棒金トレイ３８について係止部５０を持たない設定とすることができる。
【００５６】
図４に示すように、各棒金トレイ３８には、それぞれの基板部４０の上面に、収納対象の金種を目視可能に明示する金種明示部６２が設けられている（図４は１０円棒金の例）。各棒金トレイ３８に収納すべき設定金種を示す収納金種データは、予め設定されて記憶部２６に記憶されることになる。
【００５７】
現金管理装置本体１１には、収納庫１２が現金管理装置本体１１に最も押し込まれた後端位置である全閉位置にあることを検出する図２に示す全閉検知センサ９６が収納庫１２のそれぞれに対して設けられている。現金管理装置本体１１には、収納庫１２が現金管理装置本体１１から引き出された開状態にあることを検出する開検出センサ９７が収納庫１２のそれぞれに対して設けられている。
【００５８】
加えて、現金管理装置本体１１には、収納庫１２を個別に全閉位置でロックするロック機構２２が設けられている。ロック機構２２は、制御部２５から出力される開指令信号で開状態となる。制御部２５は、開状態とした収納庫１２が現金管理装置本体１１から引き出されたことが開検出センサ９７で検出されると、開指令信号を停止させることになり、この状態でロック機構２２は、収納庫１２が全閉位置に戻されると、収納庫１２を引き出し不可に自動的かつ機械的にロックする。制御部２５は、一の収納庫１２が現金管理装置本体１１から引き出されたことが開検出センサ９７で検出された後、この一の収納庫１２が全閉位置に戻されたことが全閉検知センサ９６で検出されると、この一の収納庫１２に収納された棒金Ｂの金種別の数を全ての棒金検出センサ１１５の検出結果から把握する。
【００５９】
以上に述べた本実施形態に係る現金管理装置１０によれば、棒金収納凹部４１の底部４４には、満杯状態にある棒金Ｂの下端加締部ＰＫのそれぞれの内側に嵌合する定位置座部１１１が形成されているが、隣り合う定位置座部１１１は、互いに近接する分割部１１２が１本の棒金Ｂの下端加締部ＰＫの内側に同時に嵌合可能である。このため、定位置座部１１１そのものの２カ所の分割部１１２に棒金Ｂの下端加締部ＰＫを嵌合させたり、隣り合う定位置座部１１１の近接する２カ所の分割部１１２に棒金Ｂの下端加締部ＰＫを嵌合させたりすることができる。よって、端数収納用の棒金トレイ３８として使用した場合に、棒金Ｂの収納位置の自由度が高まることになり、使い勝手性を向上させることができる。
【００６０】
また、定位置座部１１１には、嵌合された棒金Ｂを検出する棒金検出センサ１１５が一方の分割部１１２のみに設けられており、隣り合う定位置座部１１１は、互いに近接する分割部１１２の一方のみに棒金検出センサ１１５が設けられているため、定位置座部１１１のそのものに棒金Ｂの下端加締部ＰＫを嵌合させる場合も、隣り合う定位置座部１１１の近接する分割部１１２に棒金Ｂの下端加締部ＰＫを嵌合させる場合も、棒金検出センサ１１５の数を増やすことなく棒金Ｂを検出可能となる。したがって、コスト増を抑制できる。
【００６１】
また、一つの棒金トレイ３８の２カ所の下方に凹む上方開口形状の棒金収納凹部４１のそれぞれに満杯つまり５本ずつ棒金Ｂを収納すれば、棒金Ｂを立位状態で収納することができる。他方、２カ所の棒金収納凹部４１に満杯に棒金Ｂを収納することができない場合であっても、５本であれば棒金Ｂを立位状態で収納することができる。また、５本未満あるいは５本を越える棒金Ｂについては、２本収納空間１０１の底部に設けられた２カ所の定位置座部１１１のそのものに棒金Ｂの下端加締部ＰＫを嵌合させたり、これらのうちの隣り合う定位置座部１１１の近接する分割部１１２に棒金Ｂの下端加締部ＰＫを嵌合させたり、３本収納空間１０２の底部に設けられた３カ所の定位置座部１１１のそのものに棒金Ｂの下端加締部ＰＫを嵌合させたり、これらのうちの隣り合う定位置座部１１１の近接する分割部１１２に棒金Ｂの下端加締部ＰＫを嵌合させたりしても、２本収納空間１０１と３本収納空間１０２とが平行していることから、棒金Ｂは棒金収納凹部４１の湾曲壁面４２ａおよび平坦壁面４２ｂ，４２ｃのいずれかに近接することになる。よって、棒金Ｂは下端加締部ＰＫが、定位置座部１１１のそのもの、あるいは隣り合う定位置座部１１１の近接する分割部１１２に係合されていることと、棒金収納凹部４１の湾曲壁面４２ａおよび平坦壁面４２ｂ，４２ｃのいずれかに当接することとで、倒れが抑制される。したがって、棒金収納凹部４１内の満杯状態にない１本〜４本の棒金Ｂを立位状態に維持することが可能となる。よって、同じ棒金トレイ３８を満杯収納用と端数収納用とで共用化しても、満杯の棒金Ｂおよび端数の棒金Ｂのいずれも立位状態で収納することが可能になる。したがって、同じ棒金トレイ３８を満杯収納用と端数収納用とで共用化できるため、コストを低減することができる。
【００６２】
また、同じ棒金トレイ３８を満杯収納用と端数収納用とで共用化した場合には、複数の棒金トレイ３８の中から任意で満杯収納用と端数収納用とを設定することができる。したがって、使い勝手性が向上する。
【００６３】
また、棒金収納凹部４１が５本単位で棒金Ｂを収納するため、取り出し時や挿入時の本数管理が容易となり、使い勝手性が向上する。
【００６４】
また一つの棒金トレイ３８の２カ所の２本収納空間１０１および２カ所の３本収納空間１０２が収納庫１２の引き出し方向とは異なる同方向に傾斜しているため、棒金Ｂは収納庫１２の引き出し方向および引き出し方向に直交する方向の両方向の倒れが棒金収納凹部４１の湾曲壁面４２ａおよび平坦壁面４２ｂ，４２ｃのいずれかで抑制されることになる。したがって、棒金収納凹部４１内の満杯状態にない１本〜４本の棒金Ｂを立位状態に維持することがより可能になる。
【００６５】
また、一つの棒金トレイ３８の２カ所の棒金収納凹部４１は、相互近接側に３本収納空間１０２を平行に配置しているため、棒金Ｂをコンパクトにまとめて収納することができる。
【００６６】
また、棒金収納凹部４１が、２本収納空間１０１および３本収納空間１０２のそれぞれの延在方向の両外側に湾曲壁面４２ａを有し、２本収納空間１０１および３本収納空間１０２の配列方向の両外側に平坦壁面４２ｂ，４２ｃを有する形状をなしているため、１本から４本までの端数の棒金Ｂを湾曲壁面４２ａに近接して配置することができる。したがって、棒金収納凹部４１内の満杯状態にない１本〜４本の棒金Ｂを立位状態に維持することがより可能になる。
【００６７】
また、棒金収納凹部４１の周囲に設けられた複数の係止部５０に輪ゴムＲを係止すれば、この輪ゴムＲで棒金収納凹部４１内の満杯状態にない１本〜４本の棒金Ｂを立位状態に維持することが確実にできる。
【符号の説明】
【００６８】
１０  現金管理装置
１１  現金管理装置本体
１２  収納庫
１２（Ｃ）  棒金収納庫
３４  枠体
３８  棒金トレイ
４１  棒金収納凹部
４２ａ  湾曲壁面
４２ｂ，４２ｃ  平坦壁面
５０  係止部
５２  突起部
１０１  ２本収納空間
１０２  ３本収納空間
１１１  定位置座部
１１２  分割部
１１５  棒金検出センサ
Ｂ  棒金
Ｒ  輪ゴム
【図１】
2016091154.tif 000003
【図２】
2016091154.tif 000004
【図３】
2016091154.tif 000005
【図４】
2016091154.tif 000006
【図５】
2016091154.tif 000007
【図６】
2016091154.tif 000008
【図７】
2016091154.tif 000009